(57)【要約】【課題】本発明は鉛筆収納ケースを開示した。【解決手段】ケース主体を含み、前記ケース主体の中には中チャンバが設置され、前記中チャンバの中には収納箱がスライドできるように設置され、前記収納箱の中には頂チャンバと底チャンバが設置され、前記底チャンバと前記頂チャンバとの間は横板により隔てられ、前記横板が前記収納箱の中部に水平に、固定的に設置され、前記底チャンバの中には鉛筆削り機構が設置され、前記横板の中には長方形チャンバが設置され、前記長方形チャンバの前後両側にはそれぞれ三組の同じ大スライド溝が設置され、前記大スライド溝の中には鉛筆を挟む挟み機構が設置され、前記挟み機構は鉛筆の穂先の折れることを防止でき、前記阻み板は前記収納箱を中チャンバから滑り出すことを防止できる。【選択図】図１
2020175149.tif 000002
【特許請求の範囲】
【請求項１】
正面視で、ケース主体を含み、前記ケース主体の中には中チャンバが設置され、前記中チャンバの中には収納箱がスライドできるように設置され、前記収納箱の中には頂チャンバと底チャンバが設置され、前記底チャンバと前記頂チャンバとの間は横板により隔てられ、前記横板が前記収納箱の中部に水平に、固定的に設置され、前記底チャンバの中には鉛筆削り機構が設置され、前記横板の中には長方形チャンバが設置され、前記長方形チャンバの前後両側にはそれぞれ三組の同じ大スライド溝が設置され、前記大スライド溝の中には鉛筆を挟む挟み機構が設置され、前記挟み機構は鉛筆の穂先の折れることを防止でき、前記収納箱の頂端の右半分は開口するように設置され、前記頂チャンバの頂壁の中には長スライド溝が設置され、前記長スライド溝の中には阻み板がスライドできるように設置され、前記阻み板と前記長スライド溝の左側端壁との間には第一ばねが装着され、前記収納箱の右端には固定板が固定的に設置され、前記挟み機構は前記長方形チャンバと前記大スライド溝との間に回転できるようにっ設置されているネジロッド軸を含み、前記長方形チャンバの中に位置している前記ネジロッド軸の外周には第一傘歯車が固定的に設置され、前記長方形チャンバの右側端壁の中には右方へ伸びている第一回転軸が回転できるように設置され、前記第一回転軸の左側末端には前記第一傘歯車と噛み合うように設置されている第二傘歯車が固定的に設置され、前記第一回転軸の右端には前記固定板の中に位置している第一回転ブロックが固定的に設置され、前記大スライド溝の中にはスライダがスライドできるように設置され、前記スライダが前記ネジロッド軸とネジ山より連結され、六組の前記大スライド溝の前後端壁にはいずれも凹溝が設置され、前記凹溝の中にはいずれも小スライダがスライドできるように設置され、前記小スライダの頂端にはいずれもスライド挟みブロックが固定的に設置され、六組の前記スライド挟みブロックの片側の前記横板の頂端にはいずれも固定挟みブロックが固定的に設置され、前記固定挟みブロックが前記スライド挟みブロックと協働して鉛筆をしっかり挟むことができ、六組の前記スライダの片側端面にはいずれもコンロッドがヒンジより連結され、前記コンロッドの一端にはいずれも揺れ動きロッドがヒンジより連結され、前記揺れ動きロッドの一端は前記スライド挟みブロックと当接し、六組の前記揺れ動きロッドの中にはいずれも短スライド溝が設置され、前記大スライド溝の後壁にはヒンジピンが固定的に設置され、前記ヒンジピンは前記短スライド溝の中に挿入されており、且つ前記短スライド溝とスライドできるように連結されていることを特徴とする鉛筆収納ケース。
【請求項２】
前記鉛筆削り機構は前記底チャンバの中にスライドできるように設置されているスライド箱を含み、前記スライド箱の左側端面にはゴムブロックが固定的に設置され、前記スライド箱の頂部端面には消しゴム溝が設置され、前記消しゴム溝の中に消しゴムを置くことができ、前記スライド箱の中には木屑チャンバが設置され、前記木屑チャンバの底部は開口するように設置され、前記木屑チャンバの中にはシャープナーが固定的に設置され、前記中チャンバの底壁には外部空間に連通している連通孔が設置され、前記スライド箱の右端面には固定ブロックが固定的に設置され、前記固定ブロックには引っ掛かり溝が設置され、前記固定ブロックの頂部の前記横板には小スライド溝が設置され、前記小スライド溝の中には引っ掛かり板がスライドできるように設置され、前記引っ掛かり板の頂端と前記小スライド溝の頂壁との間には第二ばねが装着され、前記引っ掛かり板が前記引っ掛かり溝の中に挿入されることができ、これにより前記スライド箱が前記底チャンバから引き出されなく、前記引っ掛かり板の右側の前記底チャンバの後壁には第三傘歯車が回転できるように設置され、前記第三傘歯車が前記引っ掛かり板と噛み合っており、前記第三傘歯車の前側は傘歯車のように設計され、前記固定ブロックの右側には推しブロックがスライドできるように設置され、前記推しブロックと前記底チャンバの右端壁との間には第三ばねが装着され、前記スライド箱の中には第二回転軸が回転できるように設置され、前記第二回転軸の左側末端には前記第三傘歯車と噛み合っている第四傘歯車が固定的に設置され、前記第二回転軸の右端には第二回転ブロックが固定的に設置されていることを特徴とする請求項１に記載の鉛筆収納ケース。
【請求項３】
前記中チャンバの頂壁にはスライド溝が設置され、前記スライド溝の中にはネジ山ブロックがスライドできるように設置され、前記スライド溝の頂壁の中には小ネジロッドが回転できるように設置され、前記小ネジロッドが前記ネジ山ブロックとネジ山より連結され、前記中チャンバの底壁には二組の回転ローラが回転できるように設置され、前記回転ローラは前記収納箱が前記中チャンバから滑り出ることに役に立ち、前記固定板の右端には取手が固定的に設置されていることを特徴とする請求項１に記載の鉛筆収納ケース。
【発明の詳細な説明】
【技術分野】
【０００１】
本発明は鉛筆ケース技術分野を取り上げて、具体的には鉛筆収納ケースである。
【背景技術】
【０００２】
現在、市販のほとんどの鉛筆ケースは単一の収納機能を有し、しかも鉛筆ケースを持ち歩く時、鉛筆ケースの中の鉛筆は鉛筆ケースにぶつかりやすく、鉛筆の穂先が折られ、これにより鉛筆が使えなくなり、従来の鉛筆ケースは大体構造が簡単で、機能が単一であり、使用要求を満たすことができない。
【先行技術文献】
【特許文献】
【０００３】
【特許文献１】中国特許出願公開第１０６２６３４２９号明細書
【発明の概要】
【発明が解決しようとする課題】
【０００４】
本発明は鉛筆収納ケースを提供し、従来技術における上記欠点を解消することを目的とする。
【課題を解決するための手段】
【０００５】
本発明の実施例の鉛筆収納ケースは、ケース主体を含み、前記ケース主体の中には中チャンバが設置され、前記中チャンバの中には収納箱がスライドできるように設置され、前記収納箱の中には頂チャンバと底チャンバが設置され、前記底チャンバと前記頂チャンバとの間は横板により隔てられ、前記横板が前記収納箱の中部に水平に、固定的に設置され、前記底チャンバの中には鉛筆削り機構が設置され、前記横板の中には長方形チャンバが設置され、前記長方形チャンバの前後両側にはそれぞれ三組の同じ大スライド溝が設置され、前記大スライド溝の中には鉛筆を挟む挟み機構が設置され、前記挟み機構は鉛筆の穂先の折れることを防止でき、前記収納箱の頂端の右半分は開口するように設置され、前記頂チャンバの頂壁の中には長スライド溝が設置され、前記長スライド溝の中には阻み板がスライドできるように設置され、前記阻み板と前記長スライド溝の左側端壁との間には第一ばねが装着され、前記収納箱の右端には固定板が固定的に設置され、前記挟み機構は前記長方形チャンバと前記大スライド溝との間に回転できるようにっ設置されているネジロッド軸を含み、前記長方形チャンバの中に位置している前記ネジロッド軸の外周には第一傘歯車が固定的に設置され、前記長方形チャンバの右側端壁の中には右方へ伸びている第一回転軸が回転できるように設置され、前記第一回転軸の左側末端には前記第一傘歯車と噛み合うように設置されている第二傘歯車が固定的に設置され、前記第一回転軸の右端には前記固定板の中に位置している第一回転ブロックが固定的に設置され、前記大スライド溝の中にはスライダがスライドできるように設置され、前記スライダが前記ネジロッド軸とネジ山より連結され、六組の前記大スライド溝の前後端壁にはいずれも凹溝が設置され、前記凹溝の中にはいずれも小スライダがスライドできるように設置され、前記小スライダの頂端にはいずれもスライド挟みブロックが固定的に設置され、六組の前記スライド挟みブロックの片側の前記横板の頂端にはいずれも固定挟みブロックが固定的に設置され、前記固定挟みブロックが前記スライド挟みブロックと協働して鉛筆をしっかり挟むことができ、六組の前記スライダの片側端面にはいずれもコンロッドがヒンジより連結され、前記コンロッドの一端にはいずれも揺れ動きロッドがヒンジより連結され、前記揺れ動きロッドの一端は前記スライド挟みブロックと当接し、六組の前記揺れ動きロッドの中にはいずれも短スライド溝が設置され、前記大スライド溝の後壁にはヒンジピンが固定的に設置され、前記ヒンジピンは前記短スライド溝の中に挿入されており、且つ前記短スライド溝とスライドできるように連結されている。
【０００６】
更の技術プランとしては、前記鉛筆削り機構は前記底チャンバの中にスライドできるように設置されているスライド箱を含み、前記スライド箱の左側端面にはゴムブロックが固定的に設置され、前記スライド箱の頂部端面には消しゴム溝が設置され、前記消しゴム溝の中に消しゴムを置くことができ、前記スライド箱の中には木屑チャンバが設置され、前記木屑チャンバの底部は開口するように設置され、前記木屑チャンバの中にはシャープナーが固定的に設置され、前記中チャンバの底壁には外部空間に連通している連通孔が設置され、前記スライド箱の右端面には固定ブロックが固定的に設置され、前記固定ブロックには引っ掛かり溝が設置され、前記固定ブロックの頂部の前記横板には小スライド溝が設置され、前記小スライド溝の中には引っ掛かり板がスライドできるように設置され、前記引っ掛かり板の頂端と前記小スライド溝の頂壁との間には第二ばねが装着され、前記引っ掛かり板が前記引っ掛かり溝の中に挿入されることができ、これにより前記スライド箱が前記底チャンバから引き出されなく、前記引っ掛かり板の右側の前記底チャンバの後壁には第三傘歯車が回転できるように設置され、前記第三傘歯車が前記引っ掛かり板と噛み合っており、前記第三傘歯車の前側は傘歯車のように設計され、前記固定ブロックの右側には推しブロックがスライドできるように設置され、前記推しブロックと前記底チャンバの右端壁との間には第三ばねが装着され、前記スライド箱の中には第二回転軸が回転できるように設置され、前記第二回転軸の左側末端には前記第三傘歯車と噛み合っている第四傘歯車が固定的に設置され、前記第二回転軸の右端には第二回転ブロックが固定的に設置されている。
【０００７】
更の技術プランとしては、前記中チャンバの頂壁にはスライド溝が設置され、前記スライド溝の中にはネジ山ブロックがスライドできるように設置され、前記スライド溝の頂壁の中には小ネジロッドが回転できるように設置され、前記小ネジロッドが前記ネジ山ブロックとネジ山より連結され、前記中チャンバの底壁には二組の回転ローラが回転できるように設置され、前記回転ローラは前記収納箱が前記中チャンバから滑り出ることに役に立ち、前記固定板の右端には取手が固定的に設置されている。  
【０００８】
使用するとき、まずは取手を引き動かし、これにより固定板と収納箱を右方へ中チャンバから引き出すことができ、阻み板とネジ山ブロックとが当接している時、阻み板が長スライド溝の中に引っ掛かり、これにより前記頂チャンバの頂端が自動的に開き、この時に第一回転ブロックを回転させることにより、第一回転軸を回転させ、更に第二傘歯車が第一傘歯車を連動させて回転させ、ネジロッド軸を回転させ、更にスライダをスライドさせ、これによりスライド挟みブロックが揺れ動きロッドから離脱し、更にスライド挟みブロックが位置制限されなくなり、そして鉛筆をスライド挟みブロックと固定挟みブロックとの間に入れ、次に第一回転ブロックを逆方向へ回転させ、スライド挟みブロックと固定挟みブロックとが鉛筆をしっかり挟み、収納箱を全部引き出そうとすると、小ネジロッドを回転させるだけで、ネジ山ブロックがスライド溝の中に収納され、更に阻み板が制限されなくなり、これにより中チャンバの中から収納箱を取り出すことができ、消しゴムを使おうとすると、第二回転ブロックを回転させ、第二回転軸を回転させ、更に第三傘歯車を回転させ、引っ掛かり板を上方へ移動させて引っ掛かり溝から離脱させ、更に推しブロックがスライド箱を押し出し、これにより消しゴムを取って使用でき、使い終わった後、手動でスライド箱を底チャンバの中まで推し、引っ掛かり板が改めて引っ掛かり溝の中に引っ掛かり、鉛筆を連通孔によりシャープナーの中に挿し、鉛筆を削ることができる。
【発明の効果】
【０００９】
本発明の有益効果は：本発明の鉛筆収納ケースは、鉛筆をしっかり挟むことができ、鉛筆がケースの中で揺れることを防止し、鉛筆の穂先がケースにぶつからなく、鉛筆の穂先を折れないように保護し、同時に本鉛筆収納ケースは鉛筆削り機構を有し、機能が多様であり、普及に便利を与える。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の鉛筆収納ケースの内部全体構成模式図
【図２】図２は本発明の挟み機構の側面図
【図３】図３は本発明の引っ掛かり板部分の局部拡大模式図
【発明を実施するための形態】
【００１２】
図１〜３を参照し、本発明の実施例の鉛筆収納ケースは、ケース主体１０を含み、前記ケース主体１０の中には中チャンバ１３が設置され、前記中チャンバ１３の中には収納箱３５がスライドできるように設置され、前記収納箱３５の中には頂チャンバ３４と底チャンバ２９が設置され、前記底チャンバ２９と前記頂チャンバ３４との間は横板３３により隔てられ、前記横板３３が前記収納箱３５の中部に水平に、固定的に設置され、前記底チャンバ２９の中には鉛筆削り機構７２が設置され、前記横板３３の中には長方形チャンバ３８が設置され、前記長方形チャンバ３８の前後両側にはそれぞれ三組の同じ大スライド溝４８が設置され、前記大スライド溝４８の中には鉛筆を挟む挟み機構７１が設置され、前記挟み機構７１は鉛筆の穂先の折れることを防止でき、前記収納箱３５の頂端の右半分は開口するように設置され、前記頂チャンバ３４の頂壁の中には長スライド溝３７が設置され、前記長スライド溝３７の中には阻み板１２がスライドできるように設置され、前記阻み板１２と前記長スライド溝３７の左側端壁との間には第一ばね３６が装着され、前記収納箱３５の右端には固定板１７が固定的に設置され、前記挟み機構７１は前記長方形チャンバ３８と前記大スライド溝４８との間に回転できるようにっ設置されているネジロッド軸６３を含み、前記長方形チャンバ３８の中に位置している前記ネジロッド軸６３の外周には第一傘歯車３９が固定的に設置され、前記長方形チャンバ３８の右側端壁の中には右方へ伸びている第一回転軸４１が回転できるように設置され、前記第一回転軸４１の左側末端には前記第一傘歯車３９と噛み合うように設置されている第二傘歯車４０が固定的に設置され、前記第一回転軸４１の右端には前記固定板１７の中に位置している第一回転ブロック２０が固定的に設置され、前記大スライド溝４８の中にはスライダ４７がスライドできるように設置され、前記スライダ４７が前記ネジロッド軸６３とネジ山より連結され、六組の前記大スライド溝４８の前後端壁にはいずれも凹溝４５が設置され、前記凹溝４５の中にはいずれも小スライダ４３がスライドできるように設置され、前記小スライダ４３の頂端にはいずれもスライド挟みブロック４４が固定的に設置され、六組の前記スライド挟みブロック４４の片側の前記横板３３の頂端にはいずれも固定挟みブロック４６が固定的に設置され、前記固定挟みブロック４６が前記スライド挟みブロック４４と協働して鉛筆をしっかり挟むことができ、六組の前記スライダ４７の片側端面にはいずれもコンロッド４９がヒンジより連結され、前記コンロッド４９の一端にはいずれも揺れ動きロッド６７がヒンジより連結され、前記揺れ動きロッド６７の一端は前記スライド挟みブロック４４と当接し、六組の前記揺れ動きロッド６７の中にはいずれも短スライド溝５０が設置され、前記大スライド溝４８の後壁にはヒンジピン４２が固定的に設置され、前記ヒンジピン４２は前記短スライド溝５０の中に挿入されており、且つ前記短スライド溝５０とスライドできるように連結され、前記スライダ４７のスライドにより、前記揺れ動きロッド６７に前記スライド挟みブロック４４を押させ、更に前記スライド挟みブロック４４を前記固定挟みブロック４６に近接させて鉛筆をしっかり挟む。
【００１３】
前記鉛筆削り機構７２は前記底チャンバ２９の中にスライドできるように設置されているスライド箱２７を含み、前記スライド箱２７の左側端面にはゴムブロック３０が固定的に設置され、前記スライド箱２７の頂部端面には消しゴム溝３１が設置され、前記消しゴム溝３１の中に消しゴムを置くことができ、前記スライド箱２７の中には木屑チャンバ２４が設置され、前記木屑チャンバ２４の底部は開口するように設置され、前記木屑チャンバ２４の中にはシャープナー２５が固定的に設置され、前記中チャンバ１３の底壁には外部空間に連通している連通孔２６が設置され、前記スライド箱２７の右端面には固定ブロック６０が固定的に設置され、前記固定ブロック６０には引っ掛かり溝６１が設置され、前記固定ブロック６０の頂部の前記横板３３には小スライド溝５３が設置され、前記小スライド溝５３の中には引っ掛かり板５２がスライドできるように設置され、前記引っ掛かり板５２の頂端と前記小スライド溝５３の頂壁との間には第二ばね５４が装着され、前記引っ掛かり板５２が前記引っ掛かり溝６１の中に挿入されることができ、これにより前記スライド箱２７が前記底チャンバ２９から引き出されなく、前記引っ掛かり板５２の右側の前記底チャンバ２９の後壁には第三傘歯車５１が回転できるように設置され、前記第三傘歯車５１が前記引っ掛かり板５２と噛み合っており、前記第三傘歯車５１の前側は傘歯車のように設計され、前記固定ブロック６０の右側には推しブロック５９がスライドできるように設置され、前記推しブロック５９と前記底チャンバ２９の右端壁との間には第三ばね５８が装着され、前記スライド箱２７の中には第二回転軸２２が回転できるように設置され、前記第二回転軸２２の左側末端には前記第三傘歯車５１と噛み合っている第四傘歯車５５が固定的に設置され、前記第二回転軸２２の右端には第二回転ブロック２１が固定的に設置され、前記第二回転ブロック２１を回転させることにより、前記第二回転軸２２を回転させ、更に前記第三傘歯車５１を回転させ、これにより前記引っ掛かり板５２が上方へ移動して前記引っ掛かり溝６１から離脱し、更に前記推しブロック５９に前記スライド箱２７を押し出させ、これにより消しゴムを取って使用でき、鉛筆を前記連通孔２６により前記シャープナー２５の中に挿し、鉛筆を削ることができる。
【００１４】
前記中チャンバ１３の頂壁にはスライド溝１４が設置され、前記スライド溝１４の中にはネジ山ブロック１６がスライドできるように設置され、前記スライド溝１４の頂壁の中には小ネジロッド１５が回転できるように設置され、前記小ネジロッド１５が前記ネジ山ブロック１６とネジ山より連結され、前記中チャンバ１３の底壁には二組の回転ローラ２３が回転できるように設置され、前記回転ローラ２３は前記収納箱３５が前記中チャンバ１３から滑り出ることに役に立ち、前記固定板１７の右端には取手１８が固定的に設置され、前記取手１８を引き動かし、これにより前記固定板１７と前記収納箱３５とが右方へ前記中チャンバ１３から引き出されることができ、前記阻み板１２と前記ネジ山ブロック１６とが当接している時、前記阻み板１２が前記長スライド溝３７の中に引っ掛かり、これにより前記頂チャンバ３４の頂端が自動的に開く。  
【００１５】
使用するとき、まずは取手１８を引き動かし、これにより固定板１７と収納箱３５を右方へ中チャンバ１３から引き出すことができ、阻み板１２とネジ山ブロック１６とが当接している時、阻み板１２が長スライド溝３７の中に引っ掛かり、これにより前記頂チャンバ３４の頂端が自動的に開き、この時に第一回転ブロック２０を回転させることにより、第一回転軸４１を回転させ、更に第二傘歯車４０が第一傘歯車３９を連動させて回転させ、ネジロッド軸６３を回転させ、更にスライダ４７をスライドさせ、これによりスライド挟みブロック４４が揺れ動きロッド６７から離脱し、更にスライド挟みブロック４４が位置制限されなくなり、そして鉛筆をスライド挟みブロック４４と固定挟みブロック４６との間に入れ、次に第一回転ブロック２０を逆方向へ回転させ、スライド挟みブロック４４と固定挟みブロック４６とが鉛筆をしっかり挟み、収納箱３５を全部引き出そうとすると、小ネジロッド１５を回転させるだけで、ネジ山ブロック１６がスライド溝１４の中に収納され、更に阻み板１２が制限されなくなり、これにより中チャンバ１３の中から収納箱３５を取り出すことができ、消しゴムを使おうとすると、第二回転ブロック２１を回転させ、第二回転軸２２を回転させ、更に第三傘歯車５１を回転させ、引っ掛かり板５２を上方へ移動させて引っ掛かり溝６１から離脱させ、更に推しブロック５９がスライド箱２７を押し出し、これにより消しゴムを取って使用でき、使い終わった後、手動でスライド箱２７を底チャンバ２９の中まで推し、引っ掛かり板５２が改めて引っ掛かり溝６１の中に引っ掛かり、鉛筆を連通孔２６によりシャープナー２５の中に挿し、鉛筆を削ることができる。
【００１６】
本発明の有益効果は：本発明の鉛筆収納ケースは、鉛筆をしっかり挟むことができ、鉛筆がケースの中で揺れることを防止し、鉛筆の穂先がケースにぶつからなく、鉛筆の穂先を折れないように保護し、同時に本鉛筆収納ケースは鉛筆削り機構を有し、機能が多様であり、普及に便利を与える。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175149.tif 000003
【図２】
2020175149.tif 000004
【図３】
2020175149.tif 000005
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
正面視で、ケース主体を含み、前記ケース主体の中には中チャンバが設置され、前記中チャンバの中には収納箱がスライドできるように設置され、前記収納箱の中には頂チャンバと底チャンバが設置され、前記底チャンバと前記頂チャンバとの間は横板により隔てられ、前記横板が前記収納箱の中部に水平に、固定的に設置され、前記底チャンバの中には鉛筆削り機構が設置され、前記横板の中には長方形チャンバが設置され、前記長方形チャンバの前後両側にはそれぞれ三組の同じ大スライド溝が設置され、前記大スライド溝の中には鉛筆を挟む挟み機構が設置され、前記挟み機構は鉛筆の穂先の折れることを防止でき、前記収納箱の頂端の右半分は開口するように設置され、前記頂チャンバの頂壁の中には長スライド溝が設置され、前記長スライド溝の中には阻み板がスライドできるように設置され、前記阻み板と前記長スライド溝の左側端壁との間には第一ばねが装着され、前記収納箱の右端には固定板が固定的に設置され、前記挟み機構は前記長方形チャンバと前記大スライド溝との間に回転できるようにっ設置されているネジロッド軸を含み、前記長方形チャンバの中に位置している前記ネジロッド軸の外周には第一傘歯車が固定的に設置され、前記長方形チャンバの右側端壁の中には右方へ伸びている第一回転軸が回転できるように設置され、前記第一回転軸の左側末端には前記第一傘歯車と噛み合うように設置されている第二傘歯車が固定的に設置され、前記第一回転軸の右端には前記固定板の中に位置している第一回転ブロックが固定的に設置され、前記大スライド溝の中にはスライダがスライドできるように設置され、前記スライダが前記ネジロッド軸とネジ山より連結され、六組の前記大スライド溝の左右端壁にはいずれも凹溝が設置され、前記凹溝の中にはいずれも小スライダがスライドできるように設置され、前記小スライダの頂端にはいずれもスライド挟みブロックが固定的に設置され、六組の前記スライド挟みブロックの片側には固定挟みブロックが固定的に設置され、前記固定挟みブロックは前記横板の頂端に固定的に装着され、前記固定挟みブロックが前記スライド挟みブロックと協働して鉛筆をしっかり挟むことができ、六組の前記スライダの片側端面にはいずれもコンロッドがヒンジより連結され、前記コンロッドの一端にはいずれも揺れ動きロッドがヒンジより連結され、前記揺れ動きロッドの一端は前記スライド挟みブロックと当接し、六組の前記揺れ動きロッドの中にはいずれも短スライド溝が設置され、前記大スライド溝の後壁にはヒンジピンが固定的に設置され、前記ヒンジピンは前記短スライド溝の中に挿入されており、且つ前記短スライド溝とスライドできるように連結され、
前記鉛筆削り機構は前記底チャンバの中にスライドできるように設置されているスライド箱を含み、前記スライド箱の左側端面にはゴムブロックが固定的に設置され、前記スライド箱の頂部端面には消しゴム溝が設置され、前記消しゴム溝の中に消しゴムを置くことができ、前記スライド箱の中には木屑チャンバが設置され、前記木屑チャンバの底部は開口するように設置され、前記木屑チャンバの中にはシャープナーが固定的に設置され、前記中チャンバの底壁には外部空間に連通している連通孔が設置され、前記スライド箱の右端面には固定ブロックが固定的に設置され、前記固定ブロックには引っ掛かり溝が設置され、前記横板には小スライド溝が設置され、前記小スライド溝は前記固定ブロックの頂部に位置し、前記小スライド溝の中には引っ掛かり板がスライドできるように設置され、前記引っ掛かり板の頂端と前記小スライド溝の頂壁との間には第二ばねが装着され、前記引っ掛かり板が前記引っ掛かり溝の中に挿入されることができ、これにより前記スライド箱が前記底チャンバから引き出されなく、前記引っ掛かり板の右側の前記底チャンバの後壁には第三傘歯車が回転できるように設置され、前記第三傘歯車が前記引っ掛かり板と噛み合っており、前記第三傘歯車の前側は傘歯車のように設計され、前記固定ブロックの右側には推しブロックがスライドできるように設置され、前記推しブロックと前記底チャンバの右端壁との間には第三ばねが装着され、前記固定板の中には第二回転軸が回転できるように設置され、前記第二回転軸の左側末端には前記第三傘歯車と噛み合っている第四傘歯車が固定的に設置され、前記第二回転軸の右端には第二回転ブロックが固定的に設置され、
前記中チャンバの頂壁にはスライド溝が設置され、前記スライド溝の中にはネジ山ブロックがスライドできるように設置され、前記スライド溝の頂壁の中には小ネジロッドが回転できるように設置され、前記小ネジロッドが前記ネジ山ブロックとネジ山より連結され、前記中チャンバの底壁には二組の回転ローラが回転できるように設置され、前記回転ローラは前記収納箱が前記中チャンバから滑り出ることに役に立ち、前記固定板の右端には取手が固定的に設置されていることを特徴とする鉛筆収納ケース。
【手続補正２】
【補正対象書類名】明細書
【補正対象項目名】全文
【補正方法】変更
【補正の内容】
【発明の詳細な説明】
【技術分野】
【０００１】
本発明は鉛筆ケース技術分野を取り上げて、具体的には鉛筆収納ケースである。
【背景技術】
【０００２】
現在、市販のほとんどの鉛筆ケースは単一の収納機能を有し、しかも鉛筆ケースを持ち歩く時、鉛筆ケースの中の鉛筆は鉛筆ケースにぶつかりやすく、鉛筆の穂先が折られ、これにより鉛筆が使えなくなり、従来の鉛筆ケースは大体構造が簡単で、機能が単一であり、使用要求を満たすことができない。
【先行技術文献】
【特許文献】
【０００３】
【特許文献１】中国特許出願公開第１０６２６３４２９号明細書
【発明の概要】
【発明が解決しようとする課題】
【０００４】
本発明は鉛筆収納ケースを提供し、従来技術における上記欠点を解消することを目的とする。
【課題を解決するための手段】
【０００５】
本発明の実施例の鉛筆収納ケースは、ケース主体を含み、前記ケース主体の中には中チャンバが設置され、前記中チャンバの中には収納箱がスライドできるように設置され、前記収納箱の中には頂チャンバと底チャンバが設置され、前記底チャンバと前記頂チャンバとの間は横板により隔てられ、前記横板が前記収納箱の中部に水平に、固定的に設置され、前記底チャンバの中には鉛筆削り機構が設置され、前記横板の中には長方形チャンバが設置され、前記長方形チャンバの前後両側にはそれぞれ三組の同じ大スライド溝が設置され、前記大スライド溝の中には鉛筆を挟む挟み機構が設置され、前記挟み機構は鉛筆の穂先の折れることを防止でき、前記収納箱の頂端の右半分は開口するように設置され、前記頂チャンバの頂壁の中には長スライド溝が設置され、前記長スライド溝の中には阻み板がスライドできるように設置され、前記阻み板と前記長スライド溝の左側端壁との間には第一ばねが装着され、前記収納箱の右端には固定板が固定的に設置され、前記挟み機構は前記長方形チャンバと前記大スライド溝との間に回転できるようにっ設置されているネジロッド軸を含み、前記長方形チャンバの中に位置している前記ネジロッド軸の外周には第一傘歯車が固定的に設置され、前記長方形チャンバの右側端壁の中には右方へ伸びている第一回転軸が回転できるように設置され、前記第一回転軸の左側末端には前記第一傘歯車と噛み合うように設置されている第二傘歯車が固定的に設置され、前記第一回転軸の右端には前記固定板の中に位置している第一回転ブロックが固定的に設置され、前記大スライド溝の中にはスライダがスライドできるように設置され、前記スライダが前記ネジロッド軸とネジ山より連結され、六組の前記大スライド溝の左右端壁にはいずれも凹溝が設置され、前記凹溝の中にはいずれも小スライダがスライドできるように設置され、前記小スライダの頂端にはいずれもスライド挟みブロックが固定的に設置され、六組の前記スライド挟みブロックの片側には固定挟みブロックが固定的に設置され、前記固定挟みブロックは前記横板の頂端に固定的に装着され、前記固定挟みブロックが前記スライド挟みブロックと協働して鉛筆をしっかり挟むことができ、六組の前記スライダの片側端面にはいずれもコンロッドがヒンジより連結され、前記コンロッドの一端にはいずれも揺れ動きロッドがヒンジより連結され、前記揺れ動きロッドの一端は前記スライド挟みブロックと当接し、六組の前記揺れ動きロッドの中にはいずれも短スライド溝が設置され、前記大スライド溝の後壁にはヒンジピンが固定的に設置され、前記ヒンジピンは前記短スライド溝の中に挿入されており、且つ前記短スライド溝とスライドできるように連結されている。
【０００６】
更の技術プランとしては、前記鉛筆削り機構は前記底チャンバの中にスライドできるように設置されているスライド箱を含み、前記スライド箱の左側端面にはゴムブロックが固定的に設置され、前記スライド箱の頂部端面には消しゴム溝が設置され、前記消しゴム溝の中に消しゴムを置くことができ、前記スライド箱の中には木屑チャンバが設置され、前記木屑チャンバの底部は開口するように設置され、前記木屑チャンバの中にはシャープナーが固定的に設置され、前記中チャンバの底壁には外部空間に連通している連通孔が設置され、前記スライド箱の右端面には固定ブロックが固定的に設置され、前記固定ブロックには引っ掛かり溝が設置され、前記横板には小スライド溝が設置され、前記小スライド溝は前記固定ブロックの頂部に位置し、前記小スライド溝の中には引っ掛かり板がスライドできるように設置され、前記引っ掛かり板の頂端と前記小スライド溝の頂壁との間には第二ばねが装着され、前記引っ掛かり板が前記引っ掛かり溝の中に挿入されることができ、これにより前記スライド箱が前記底チャンバから引き出されなく、前記引っ掛かり板の右側の前記底チャンバの後壁には第三傘歯車が回転できるように設置され、前記第三傘歯車が前記引っ掛かり板と噛み合っており、前記第三傘歯車の前側は傘歯車のように設計され、前記固定ブロックの右側には推しブロックがスライドできるように設置され、前記推しブロックと前記底チャンバの右端壁との間には第三ばねが装着され、前記固定板の中には第二回転軸が回転できるように設置され、前記第二回転軸の左側末端には前記第三傘歯車と噛み合っている第四傘歯車が固定的に設置され、前記第二回転軸の右端には第二回転ブロックが固定的に設置されている。
【０００７】
更の技術プランとしては、前記中チャンバの頂壁にはスライド溝が設置され、前記スライド溝の中にはネジ山ブロックがスライドできるように設置され、前記スライド溝の頂壁の中には小ネジロッドが回転できるように設置され、前記小ネジロッドが前記ネジ山ブロックとネジ山より連結され、前記中チャンバの底壁には二組の回転ローラが回転できるように設置され、前記回転ローラは前記収納箱が前記中チャンバから滑り出ることに役に立ち、前記固定板の右端には取手が固定的に設置されている。  
【０００８】
使用するとき、まずは取手を引き動かし、これにより固定板と収納箱を右方へ中チャンバから引き出すことができ、阻み板とネジ山ブロックとが当接している時、阻み板が長スライド溝の中に引っ掛かり、これにより前記頂チャンバの頂端が自動的に開き、この時に第一回転ブロックを回転させることにより、第一回転軸を回転させ、更に第二傘歯車が第一傘歯車を連動させて回転させ、ネジロッド軸を回転させ、更にスライダをスライドさせ、これによりスライド挟みブロックが揺れ動きロッドから離脱し、更にスライド挟みブロックが位置制限されなくなり、そして鉛筆をスライド挟みブロックと固定挟みブロックとの間に入れ、次に第一回転ブロックを逆方向へ回転させ、スライド挟みブロックと固定挟みブロックとが鉛筆をしっかり挟み、収納箱を全部引き出そうとすると、小ネジロッドを回転させるだけで、ネジ山ブロックがスライド溝の中に収納され、更に阻み板が制限されなくなり、これにより中チャンバの中から収納箱を取り出すことができ、消しゴムを使おうとすると、第二回転ブロックを回転させ、第二回転軸を回転させ、更に第三傘歯車を回転させ、引っ掛かり板を上方へ移動させて引っ掛かり溝から離脱させ、更に推しブロックがスライド箱を押し出し、これにより消しゴムを取って使用でき、使い終わった後、手動でスライド箱を底チャンバの中まで推し、引っ掛かり板が改めて引っ掛かり溝の中に引っ掛かり、鉛筆を連通孔によりシャープナーの中に挿し、鉛筆を削ることができる。
【発明の効果】
【０００９】
本発明の有益効果は：本発明の鉛筆収納ケースは、鉛筆をしっかり挟むことができ、鉛筆がケースの中で揺れることを防止し、鉛筆の穂先がケースにぶつからなく、鉛筆の穂先を折れないように保護し、同時に本鉛筆収納ケースは鉛筆削り機構を有し、機能が多様であり、普及に便利を与える。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の鉛筆収納ケースの内部全体構成模式図
【図２】図２は本発明の挟み機構の側面図
【図３】図３は本発明の引っ掛かり板部分の局部拡大模式図
【発明を実施するための形態】
【００１２】
図１〜３を参照し、本発明の実施例の鉛筆収納ケースは、ケース主体１０を含み、前記ケース主体１０の中には中チャンバ１３が設置され、前記中チャンバ１３の中には収納箱３５がスライドできるように設置され、前記収納箱３５の中には頂チャンバ３４と底チャンバ２９が設置され、前記底チャンバ２９と前記頂チャンバ３４との間は横板３３により隔てられ、前記横板３３が前記収納箱３５の中部に水平に、固定的に設置され、前記底チャンバ２９の中には鉛筆削り機構７２が設置され、前記横板３３の中には長方形チャンバ３８が設置され、前記長方形チャンバ３８の前後両側にはそれぞれ三組の同じ大スライド溝４８が設置され、前記大スライド溝４８の中には鉛筆を挟む挟み機構７１が設置され、前記挟み機構７１は鉛筆の穂先の折れることを防止でき、前記収納箱３５の頂端の右半分は開口するように設置され、前記頂チャンバ３４の頂壁の中には長スライド溝３７が設置され、前記長スライド溝３７の中には阻み板１２がスライドできるように設置され、前記阻み板１２と前記長スライド溝３７の左側端壁との間には第一ばね３６が装着され、前記収納箱３５の右端には固定板１７が固定的に設置され、前記挟み機構７１は前記長方形チャンバ３８と前記大スライド溝４８との間に回転できるようにっ設置されているネジロッド軸６３を含み、前記長方形チャンバ３８の中に位置している前記ネジロッド軸６３の外周には第一傘歯車３９が固定的に設置され、前記長方形チャンバ３８の右側端壁の中には右方へ伸びている第一回転軸４１が回転できるように設置され、前記第一回転軸４１の左側末端には前記第一傘歯車３９と噛み合うように設置されている第二傘歯車４０が固定的に設置され、前記第一回転軸４１の右端には前記固定板１７の中に位置している第一回転ブロック２０が固定的に設置され、前記大スライド溝４８の中にはスライダ４７がスライドできるように設置され、前記スライダ４７が前記ネジロッド軸６３とネジ山より連結され、六組の前記大スライド溝４８の左右端壁にはいずれも凹溝４５が設置され、前記凹溝４５の中にはいずれも小スライダ４３がスライドできるように設置され、前記小スライダ４３の頂端にはいずれもスライド挟みブロック４４が固定的に設置され、六組の前記スライド挟みブロック４４の片側には固定挟みブロック４６が固定的に設置され、前記固定挟みブロック４６は前記横板３３の頂端に固定的に装着され、前記固定挟みブロック４６が前記スライド挟みブロック４４と協働して鉛筆をしっかり挟むことができ、六組の前記スライダ４７の片側端面にはいずれもコンロッド４９がヒンジより連結され、前記コンロッド４９の一端にはいずれも揺れ動きロッド６７がヒンジより連結され、前記揺れ動きロッド６７の一端は前記スライド挟みブロック４４と当接し、六組の前記揺れ動きロッド６７の中にはいずれも短スライド溝５０が設置され、前記大スライド溝４８の後壁にはヒンジピン４２が固定的に設置され、前記ヒンジピン４２は前記短スライド溝５０の中に挿入されており、且つ前記短スライド溝５０とスライドできるように連結され、前記スライダ４７のスライドにより、前記揺れ動きロッド６７に前記スライド挟みブロック４４を押させ、更に前記スライド挟みブロック４４を前記固定挟みブロック４６に近接させて鉛筆をしっかり挟む。
【００１３】
前記鉛筆削り機構７２は前記底チャンバ２９の中にスライドできるように設置されているスライド箱２７を含み、前記スライド箱２７の左側端面にはゴムブロック３０が固定的に設置され、前記スライド箱２７の頂部端面には消しゴム溝３１が設置され、前記消しゴム溝３１の中に消しゴムを置くことができ、前記スライド箱２７の中には木屑チャンバ２４が設置され、前記木屑チャンバ２４の底部は開口するように設置され、前記木屑チャンバ２４の中にはシャープナー２５が固定的に設置され、前記中チャンバ１３の底壁には外部空間に連通している連通孔２６が設置され、前記スライド箱２７の右端面には固定ブロック６０が固定的に設置され、前記固定ブロック６０には引っ掛かり溝６１が設置され、前記横板３３には小スライド溝５３が設置され、前記小スライド溝５３は前記固定ブロック６０の頂部に位置し、前記小スライド溝５３の中には引っ掛かり板５２がスライドできるように設置され、前記引っ掛かり板５２の頂端と前記小スライド溝５３の頂壁との間には第二ばね５４が装着され、前記引っ掛かり板５２が前記引っ掛かり溝６１の中に挿入されることができ、これにより前記スライド箱２７が前記底チャンバ２９から引き出されなく、前記引っ掛かり板５２の右側の前記底チャンバ２９の後壁には第三傘歯車５１が回転できるように設置され、前記第三傘歯車５１が前記引っ掛かり板５２と噛み合っており、前記第三傘歯車５１の前側は傘歯車のように設計され、前記固定ブロック６０の右側には推しブロック５９がスライドできるように設置され、前記推しブロック５９と前記底チャンバ２９の右端壁との間には第三ばね５８が装着され、前記固定板１７の中には第二回転軸２２が回転できるように設置され、前記第二回転軸２２の左側末端には前記第三傘歯車５１と噛み合っている第四傘歯車５５が固定的に設置され、前記第二回転軸２２の右端には第二回転ブロック２１が固定的に設置され、前記第二回転ブロック２１を回転させることにより、前記第二回転軸２２を回転させ、更に前記第三傘歯車５１を回転させ、これにより前記引っ掛かり板５２が上方へ移動して前記引っ掛かり溝６１から離脱し、更に前記推しブロック５９に前記スライド箱２７を押し出させ、これにより消しゴムを取って使用でき、鉛筆を前記連通孔２６により前記シャープナー２５の中に挿し、鉛筆を削ることができる。
【００１４】
前記中チャンバ１３の頂壁にはスライド溝１４が設置され、前記スライド溝１４の中にはネジ山ブロック１６がスライドできるように設置され、前記スライド溝１４の頂壁の中には小ネジロッド１５が回転できるように設置され、前記小ネジロッド１５が前記ネジ山ブロック１６とネジ山より連結され、前記中チャンバ１３の底壁には二組の回転ローラ２３が回転できるように設置され、前記回転ローラ２３は前記収納箱３５が前記中チャンバ１３から滑り出ることに役に立ち、前記固定板１７の右端には取手１８が固定的に設置され、前記取手１８を引き動かし、これにより前記固定板１７と前記収納箱３５とが右方へ前記中チャンバ１３から引き出されることができ、前記阻み板１２と前記ネジ山ブロック１６とが当接している時、前記阻み板１２が前記長スライド溝３７の中に引っ掛かり、これにより前記頂チャンバ３４の頂端が自動的に開く。  
【００１５】
使用するとき、まずは取手１８を引き動かし、これにより固定板１７と収納箱３５を右方へ中チャンバ１３から引き出すことができ、阻み板１２とネジ山ブロック１６とが当接している時、阻み板１２が長スライド溝３７の中に引っ掛かり、これにより前記頂チャンバ３４の頂端が自動的に開き、この時に第一回転ブロック２０を回転させることにより、第一回転軸４１を回転させ、更に第二傘歯車４０が第一傘歯車３９を連動させて回転させ、ネジロッド軸６３を回転させ、更にスライダ４７をスライドさせ、これによりスライド挟みブロック４４が揺れ動きロッド６７から離脱し、更にスライド挟みブロック４４が位置制限されなくなり、そして鉛筆をスライド挟みブロック４４と固定挟みブロック４６との間に入れ、次に第一回転ブロック２０を逆方向へ回転させ、スライド挟みブロック４４と固定挟みブロック４６とが鉛筆をしっかり挟み、収納箱３５を全部引き出そうとすると、小ネジロッド１５を回転させるだけで、ネジ山ブロック１６がスライド溝１４の中に収納され、更に阻み板１２が制限されなくなり、これにより中チャンバ１３の中から収納箱３５を取り出すことができ、消しゴムを使おうとすると、第二回転ブロック２１を回転させ、第二回転軸２２を回転させ、更に第三傘歯車５１を回転させ、引っ掛かり板５２を上方へ移動させて引っ掛かり溝６１から離脱させ、更に推しブロック５９がスライド箱２７を押し出し、これにより消しゴムを取って使用でき、使い終わった後、手動でスライド箱２７を底チャンバ２９の中まで推し、引っ掛かり板５２が改めて引っ掛かり溝６１の中に引っ掛かり、鉛筆を連通孔２６によりシャープナー２５の中に挿し、鉛筆を削ることができる。
【００１６】
本発明の有益効果は：本発明の鉛筆収納ケースは、鉛筆をしっかり挟むことができ、鉛筆がケースの中で揺れることを防止し、鉛筆の穂先がケースにぶつからなく、鉛筆の穂先を折れないように保護し、同時に本鉛筆収納ケースは鉛筆削り機構を有し、機能が多様であり、普及に便利を与える。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。